(57)【要約】【課題】視聴者が、最適視聴距離よりも映像表示装置に近づいてしまうことが問題になっていた。このため、視聴者に対し、映像表示部から最適視聴距離以上離れるように促すことが可能な映像表示装置を提供することが課題になっていた。【解決手段】実施形態の映像表示装置は、映像表示部と視聴者の距離に係る情報を取得する距離情報取得部を備える。また、前記取得された距離情報を、予め設定された映像表示部と視聴者の距離と比較する比較部を備える。また、前記視聴者が前記予め設定された映像表示部と視聴者の距離以上離れていないと判別される場合は、前記取得された距離情報に基づいて、前記映像表示部に、元映像の一部を切り出した映像を出力する映像出力部を備える。【選択図】  図４
2012222622.tif 000002
【特許請求の範囲】
【請求項１】
映像表示部と視聴者の距離に係る情報を取得する距離情報取得部と、
前記取得された距離情報を、予め設定された映像表示部と視聴者の距離と比較する比較部と、
前記視聴者が前記予め設定された映像表示部と視聴者の距離以上離れていないと判別される場合は、前記取得された距離情報に基づいて、前記映像表示部に、元映像の一部を切り出した映像を出力する映像出力部を備える映像表示装置。
【請求項２】
前記視聴者が前記予め設定された映像表示部と視聴者の距離以上離れていないと判別される場合は、２Ｄ映像を出力する請求項１に記載の映像表示装置。
【請求項３】
距離情報と映像の切り出し量の関係が設定されたテーブルを備える請求項１または２に記載の映像表示装置。
【請求項４】
前記映像表示部に出力する映像は３Ｄ映像を含む、請求項１乃至３のいずれか１つに記載の映像表示装置。
【請求項５】
前記視聴者が前記予め設定された距離以上離れていないと判別される場合は、前記映像表示部に近づきすぎている旨の表示を出力する請求項１乃至４のいずれか１つに記載の映像表示装置。
【請求項６】
前記視聴者が前記予め設定された距離以上離れていると判別される場合は、前記取得された距離において好ましい３Ｄ効果になる３Ｄ映像を出力する請求項１乃至５のいずれか１つに記載の映像表示装置。
【請求項７】
前記切り出された元映像の一部は、拡大出力される請求項１乃至６のいずれか１つに記載の映像表示装置。
【請求項８】
映像表示部と視聴者の距離に係る情報を取得するステップと、
前記取得された距離情報を、予め設定された映像表示部と
視聴者の距離と比較するステップと、
前記視聴者が前記予め設定された映像表示部と視聴者の距離以上離れていないと判別される場合は、前記取得された距離情報に基づいて、前記映像表示部に、元映像の一部を切り出した映像を出力するステップを備える映像表示方法。
【請求項９】
映像表示部と視聴者の距離に係る情報を取得する距離情報取得部と、
前記取得された距離情報を、予め設定された映像表示部と視聴者の距離と比較する比較部と、
前記視聴者が前記予め設定された映像表示部と視聴者の距離以上離れていないと判別される場合は、前記取得された距離情報に基づいた明るさとなるように、前記映像表示部に映像を出力する映像出力部を備える映像表示装置。
【請求項１０】
前記視聴者が前記予め設定された映像表示部と視聴者の距離以上離れていないと判別される場合は、２Ｄ映像を出力する請求項８に記載の映像表示装置。
【請求項１１】
映像表示部と視聴者の距離に係る情報を取得するステップと、
前記取得された距離情報を、予め設定された映像表示部と視聴者の距離と比較するステップと、
前記視聴者が前記予め設定された映像表示部と視聴者の距離以上離れていないと判別される場合は、前記取得された距離情報に基づいた明るさとなるように、前記映像表示部に映像を出力するステップを備える映像表示方法。
【発明の詳細な説明】
【技術分野】
【０００１】
本発明の実施形態は、映像表示装置、映像表示方法に関する。
【背景技術】
【０００２】
現在、受信した放送や映像コンテンツを映像として映像表示部に表示する映像表示装置が普及している。
映像表示部に表示された映像は、視聴者が映像表示部から所定の距離（最適視聴距離）以上離れないと見えにくい。このため、視聴者は、映像表示部から所定の距離以上離れて視聴することが求められている。
【０００３】
しかし、視聴者が、最適視聴距離よりも映像表示装置に近づいてしまうことがあり、これが問題になっていた。
このため、視聴者に対し、映像表示部から最適視聴距離以上離れるように促すことが可能な映像表示装置を提供することが課題になっていた。
【先行技術文献】
【特許文献】
【０００４】
【特許文献１】特開２０００−２７６１２３号公報
【発明の概要】
【発明が解決しようとする課題】
【０００５】
視聴者が、最適視聴距離よりも映像表示装置に近づいてしまうことが問題になっていた。
このため、視聴者に対し、映像表示部から最適視聴距離以上離れるように促すことが可能な映像表示装置を提供することが課題になっていた。
【課題を解決するための手段】
【０００６】
実施形態の映像表示装置は、映像表示部と視聴者の距離に係る情報を取得する距離情報取得部を備える。
また、前記取得された距離情報を、予め設定された映像表示部と視聴者の距離と比較する比較部を備える。
また、前記視聴者が前記予め設定された映像表示部と視聴者の距離以上離れていないと判別される場合は、前記取得された距離情報に基づいて、前記映像表示部に、元映像の一部を切り出した映像を出力する映像出力部を備える。
【図面の簡単な説明】
【０００７】
【図１】実施形態に係る立体（３Ｄ）映像を表示可能な映像表示装置の概略を示す図。
【図２】実施形態に係わる映像表示装置に係る３Ｄ処理モジュールの構成例を示す図。
【図３】実施形態に係わる映像表示装置の構成例を示すブロック図。
【図４】実施形態に係わる映像表示装置において、例えば、映像表示部と視聴者の距離に応じて切り出された映像が表示されるようすを示す図。
【図５】実施形態に係わる映像表示装置に設定される、映像表示部と視聴者の距離に応じた映像の切り出し量または映像表示部と視聴者の距離に応じた映像の明るさ設定に係るテーブルの一例を示す図。
【図６】実施形態に係わる映像表示装置の動作の一例を示すフローチャート。
【図７】実施形態に係わる映像表示装置において、例えば、映像表示部と視聴者の距離に応じた明るさで、映像が表示されるようすを示す図。
【図８】実施形態に係わる映像表示装置のテーブルに設定される、映像表示部と視聴者の距離に応じた映像の明るさの関係の一例を示す図。
【図９】他の実施形態に係わる映像表示装置の動作の一例を示すフローチャート。
【発明を実施するための形態】
【０００８】
近年、映像表示装置において、映像の２次元（２Ｄ）表示に加え、３次元（３Ｄ）表示を行うことが可能な機器が普及しつつある。
上記のように、２次元（２Ｄ）表示の映像表示装置において、視聴者に対し、映像表示部から所定の距離以上離れて映像を視聴することが求められている。
また、３次元（３Ｄ）表示を行うことが可能な映像表示装置においては、３次元（３Ｄ）効果が強調され、例えば、いわゆる３次元（３Ｄ）酔い等が生じやすくなり、さらに、映像表示部から所定の距離以上離れて映像を視聴することが求められている。
【０００９】
以下、図面を参照し、実施の形態を説明する。
図１は、実施形態に係る立体視（３Ｄ）映像を表示可能な映像表示装置の概略を示す図である。
ここでは、例えば、グラスレス（裸眼）式の３Ｄ映像表示の原理を説明する。ここではインテグラル方式による３Ｄ映像表示の例を説明するが、この実施の形態はこれに限定されるものではない。
【００１０】
図１に示す３Ｄ映像表示装置１は、縦横に配列した多数の３Ｄ映像表示用画素１１を備える表示ユニット１０と、表示ユニット１０から離間し、３Ｄ映像表示用画素１１に対応して多数の窓部２２が設けられたマスク２０を備えている。
【００１１】
このマスク２０は光学的開口を備え、上記画素１１からの光線を制御する機能を有しており、視差バリアまたは光線制御素子とも呼ばれる。このマスク２０は、透明基板上に多数の窓部２２に対応した多数の開口を有する遮光体パターンを形成したものや、遮光板に多数の窓部２２に対応した多数の貫通孔を設けたもの等を使用することができる。
【００１２】
あるいは、マスク２０の他の例として、多数の微小なレンズを２次元的に配列してなるフライアイレンズ、光学的開口が垂直方向に直線状に延び水平方向に周期的に配列される形状のレンチキュラーレンズ等も使用可能である。さらに、マスク２０として、透過型の液晶表示ユニットのように窓部２２の配置、寸法、形状などを任意に変更可能なものを使用しても良い。
【００１３】
静止画の３Ｄの場合は、３Ｄ映像表示用画素１１は画像が印刷された紙でも良いが、動画像を３Ｄするためには、液晶表示ユニットを用いて３Ｄ映像表示用画素１１を実現する必要がある。
【００１４】
ここでは、透過型の液晶表示ユニット１０の多数の画素が多数の３Ｄ映像表示用画素１１を構成し、液晶表示ユニット１０の背面側には面光源であるバックライト３０を配置している。そして、液晶表示ユニット１０の前面側には、マスク２０を配置している。
【００１５】
透過型の液晶表示ユニット１０を使用する場合は、マスク２０はバックライト３０と液晶表示ユニット１０との間に配置しても良い。また、液晶表示ユニット１０及びバックライト３０の代わりに有機ＥＬ（エレクトロルミネッセンス）表示装置や陰極線管表示装置やプラズマ表示装置などのように自発光型の表示装置を使用しても良い。その場合、マスク２０は自発光型表示装置の前面側に配置する。
【００１６】
ここでは、図１は、３Ｄ映像表示装置１と観察位置Ａ００、Ａ０Ｒ、Ａ０Ｌの関係を概略的に示している。
観察位置は画面（あるいはマスク）との距離を一定に保ったまま表示画面の水平方向に平行移動した位置である。この例では、１つの３Ｄ映像表示用画素１１が、複数の（例えば５つの）２次元表示用画素で構成されている例を示している。なお、画素の数は１例であり、５より少なくても良いし（例えば２個）、さらに数が多くても良い（例えば９個）。
【００１７】
図１に示す破線４１は、隣接する３Ｄ映像表示用画素１１間の境界に位置する単一画素の中心と、マスク２０の窓部２２とを結ぶ直線（光線）である。
図１において太線５２の領域が、真の３Ｄ映像（本来の３Ｄ映像）が知覚される領域である。観察位置Ａ００、Ａ０Ｒ、Ａ０Ｌは、太線５２の領域内である。
図２は、実施形態に係わる映像表示装置に係る３Ｄ処理モジュールの構成例を示す図である。
この３Ｄ処理モジュール８０には、例えば、左眼用の２Ｄ映像表示用信号を左の領域に配置し、右眼用の２Ｄ映像表示用信号を右の領域に配置した２眼式の３Ｄ映像表示用信号が入力される。
【００１８】
また、３Ｄ処理モジュール８０は、２眼式の３Ｄ映像表示用信号を裸眼式の３Ｄ映像表示用信号に変換する。即ち、３Ｄ処理モジュール８０は、２Ｄデジタル入力映像信号を３Ｄ用信号フォーマットとして成型するフォーマット設定部８１を有する。なお３Ｄ用信号が入力された場合は、そのまま採用することができる。
【００１９】
また、フォーマット設定部８１で３Ｄフォーマット化された２Ｄデジタル入力映像信号は、３Ｄ用情報処理部８２と、２Ｄ／３Ｄ変換器８３により、３Ｄ構成用の複数（例えば９個）の映像プレーンに分解される。また、このときメインビデオの各画素に対する深さ情報（または奥行き情報）、グラフィックスデータの各画素に対する深さ情報などが生成される。
【００２０】
また、３Ｄ構成用の複数の映像プレーン及び深さ情報は、３Ｄ映像生成部８４に入力され、３Ｄ映像表示用信号（立体映像表示用信号）に変換される。この３Ｄ映像表示用信号は、図１で示した立体映像表示用画素を駆動する絵柄信号となる。
【００２１】
３Ｄ用信号フォーマットは、メインビデオデータを配置する領域９０ａ、グラフィックスデータ（Ｒ，Ｇ，Ｂ画素を含む）を配置する領域９０ｂ、グラフィックスデータの偶数ラインの画素の深さ情報を配置する領域９０ｃ１、グラフィックスデータの奇数ラインの画素の深さ情報を配置する領域９０ｃ２、メインビデオデータの偶数ラインの画素の深さ情報を配置する領域９０ｄ１、メインビデオデータの奇数ラインの画素の深さ情報を配置する領域９０ｄ２を有する。
【００２２】
また、メインビデオデータの画素の深さ情報は、偶数画素と奇数画素に関する深さ情報が含まれている。
メインビデオの領域９０ａは、例えば、１２８０画素×７２０ライン、領域９０ｂは６４０画素×７２０ライン、領域９０ｃ１は６４０画素×３６０ライン、領域９０ｃ２は６４０画素×３６０ライン、領域９０ｃ１は３２０画素×３６０ライン、領域９０ｃ２は３２０画素×３６０ラインである。
【００２３】
このメインビデオ及びグラフィックスデータの領域９０a,９０ｂを除く他の領域９０ｃ１、９０ｃ２、９０ｄ１，９０ｄ２は、３Ｄ信号生成用制御情報領域と称しても良い。３Ｄ信号生成用制御情報は、３Ｄ用情報処理部８２と、２Ｄ／３Ｄ変換器８３において生成され、所定の領域へ配置される。
【００２４】
図３は、実施形態に係わる映像表示装置の構成例を示すブロック図である。
例えば、映像表示装置は、テレビジョン放送受信装置２１００、表示装置２１０３、スピーカ２１０２を備えている。
ここでは、テレビジョン放送受信装置２１００の信号処理系を概略的に示している。
デジタルテレビジョン放送受信用のアンテナ２２２で受信されたデジタルテレビジョン放送信号は、入力端子２２３を介してチューナ２２４に供給される。このチューナ２２４は、入力されたデジタルテレビジョン放送信号から所望のチャンネルの信号を選局し復調する。
【００２５】
チューナ２２４から出力された信号は、デコーダ２２５に供給され、例えばＭＰＥＧ（moving picture experts group）２デコード処理が施され、セレクタ２２６に供給される。
【００２６】
またチューナ２２４の出力は、セレクタ２２６に供給される。
例えば、この信号から映像・音声情報などが分離され、この映像・音声情報が制御部２３５を介して記録・再生信号処理器２５５で処理され、ハードディスクドライブ（ＨＤＤ）２５７に記録することも可能である。ここでは、ＨＤＤ２５７は、ユニットとして端子２５６を介して記録・再生信号処理器５５に接続されている。このＨＤＤ２５７は、例えば、交換することも可能である。
【００２７】
またＨＤＤ２５７は、信号の記録器、読み取り器を含んでいる。
アナログテレビジョン放送受信用のアンテナ２２７で受信したアナログテレビジョン放送信号は、入力端子２２８を介してチューナ２２９に供給される。
このチューナ２２９は、入力されたアナログテレビジョン放送信号から所望のチャンネルの信号を選局し復調する。そして、このチューナ２２９から出力された信号は、Ａ／Ｄ（analog／digital）コンバータ２３０によりデジタル化され、セレクタ２２６に出力される。
【００２８】
また、例えば、ＶＴＲなどの機器が接続されるアナログ信号用の入力端子２３１に供給されたアナログの映像及び音声信号は、Ａ／Ｄコンバータ２３２に供給されてデジタル化され、セレクタ２２６に出力される。
【００２９】
さらに、例えばＨＤＭＩ（High Definition Multimedia Interface）２６１を介して光ディスクあるいは磁気記録媒体再生装置などの外部機器が接続されるデジタル信号用の入力端子２３３に供給されたデジタルの映像及び音声信号は、そのままセレクタ２２６に供給される。
【００３０】
Ａ／Ｄ変換された信号が、ＨＤＤ２５７にて記録される場合は、セレクタ２２６に付随するエンコーダ・デコーダ２３６内のエンコーダにより、所定のフォーマット、例えば、ＭＰＥＧ（moving picture experts group）２方式による圧縮処理が施され、記録・再生信号処理器２５５を介してＨＤＤ２５７に記録される。
【００３１】
記録・再生信号処理器２５５は、記録制御器２３５aと相俟って、ＨＤＤ２５７に情報を記録する場合、例えばＨＤＤ２５７の何処のディレクトリに対してどのような情報を記録するかを予めプログラムされている。したがって、ストリームファイルをストリームディレクトリに格納するときの条件、識別情報を録画リストファイルに格納するときの条件などが設定されている。
【００３２】
セレクタ２２６は、４種類の入力デジタル映像及び音声信号から１つを選択して、信号処理器２３４に供給している。この信号処理器２３４は、入力されたデジタル映像信号からオーディオ情報、ビデオ情報を分離し、所定の信号処理を施している。信号処理としては、オーディオ情報は、オーディオデコード・音質調整・ミックス処理等が行われる。また、ビデオ情報は、カラー・輝度分離処理、カラー調整処理、画質調整処理等が行われる。
【００３３】
また、信号処理器２３４内には、先に説明した３Ｄ処理モジュール８０も含まれる。ビデオ出力部２３９では、３Ｄ・２Ｄの切り替えに応じて３Ｄ信号出力又は２Ｄ信号出力の切り替えが行われる。またビデオ出力部２３９は、制御ブロック２３５からのグラフィック映像、文字・図形・記号・等の映像、ユーザインターフェース映像、番組表の映像等をメイン映像に多重する合成部も含む。また、ビデオ出力部２３５は、走査線数変換を含んでも良い。
【００３４】
オーディオ情報は、オーディオ出力回路２３７でアナログ化され、音量、チャンネルバランスなどの調整を受けた後、出力端子２３８を介してスピーカ装置２１０２に出力される。
【００３５】
ビデオ情報は、ビデオ出力回路２３９にて、画素の合成処理、走査線数変換など受け、出力端子２４２を介して表示装置２１０３へ出力される。表示装置２１０３は、例えば、上記図１で説明した装置が採用される。
【００３６】
このテレビジョン放送受信装置２１００は、各種の受信動作を含む種々の動作を制御ブロック２３５によって統括的に制御されている。この制御ブロック２３５は、ＣＰＵ（central processing unit）等を内蔵したマイクロプロセッサの集合である。
【００３７】
制御ブロック２３５は、操作部２４７からの操作情報、または、リモートコントローラ２１０４から送信された操作情報がリモコン信号受信部２４８を取得され、これにより、その操作内容が反映されるように、各種ブロックをそれぞれ制御している。
【００３８】
制御部２３５は、メモリ２４９を使用している。このメモリ２４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００３９】
また、この装置はインターネットを介して外部サーバーとの通信を行うことも可能である。接続端子２４４からのダウンストリーム信号は、送・受信器２４５で復調され変調・復調器２４６で復調され、制御ブロック２３５に入力される。またアップストリーム信号は、変調・復調器２４６で変調され、送・受信器２４５で送信信号に変換され接続端子２４４に出力される。
【００４０】
制御ブロック２３５は、外部サーバーからダウンロードされた動画像あるいはサービス情報を変換処理し、ビデオ出力回路２３９に供給することができる。また制御ブロック２３５は、リモコン操作に応答して、外部サーバーに向けてサービス要求信号を送信することもできる。
【００４１】
さらに制御ブロック２３５は、コネクタ２５１に装着されたカードタイプメモリ２５２のデータを読み取ることも可能である。このために本装置は、例えば、カードタイプメモリ２５２から写真画像データを取り込み、表示装置２１０４に表示することが可能である。また、特殊なカラー調整などを行う際に、カードタイプメモリ２５２からの画像データを標準データ或いは参照データとして用いることも可能である。
【００４２】
上記装置において、ユーザは、デジタルテレビジョン放送信号の所望の番組を視聴すると共に、ＨＤＤ２５７に保存したいと思う場合、リモートコントローラ２１０４を操作することによりチューナ２２４を制御し、番組選択を行う。
【００４３】
チューナ２２４の出力は、デコーダ２２５でデコードされベースバンド映像信号に復号され、このベースバンド映像信号は、セレクタ２２６から信号処理器２３４に入力する。
【００４４】
これによりユーザは、所望の番組を表示装置２１０３で視聴することができる。
また選択された番組のストリーム（多数のパケットからなる）は、セレクタ２２６を介して制御ブロック２３５に入力する。ユーザが録画操作を行えば、記録制御器３５ａは、前記番組のストリームを選択して記録・再生信号処理器２５５に供給する。記録制御器２３５ａ及び記録・再生信号処理器２５５の動作により、例えば前記番組のストリームに対してファイル番号が付され、ストリームファイルとしてＨＤＤ２５７のファイルディレクトリに格納される。
【００４５】
また、ユーザがＨＤＤ２５７に記録されているストリームファイルを再生して視聴したい場合、例えばリモートコントローラ２１０４を操作して、例えば録画リストファイルの表示を指定する（この録画リストファイルについては後でさらに詳しく説明する）。
【００４６】
録画リストファイルは、ＨＤＤ２５７にどのようなストリームファイルが記録されているのかを示すファイル番号やファイル名（識別情報と称する）のテーブルを有する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００４７】
指定されたストリームファイルは、再生制御器２３５ｂの制御のもとで、ＨＤＤ２５７から読み出され、記録・再生信号処理器２５５で復号され、制御ブロック２３５、セレクタ２２６を経由して信号処理器２３４に入力される。
【００４８】
ここで、制御ブロック２３５は、記録制御器２３５a、再生制御器２３５ｂ、及び３Ｄ関連制御器２３５ｃを含む。
また、この実施の形態においては、映像表示装置は、距離計測部２６０を備えている。この距離計測部２６０は、映像表示部と視聴者の距離に係る情報を取得する。距離計測部２６０は、例えば、後述するようなカメラで構成することが可能である。あるいは、映像表示部と視聴者の距離を計測する距離計で構成しても良いし、リモコン２１０４を用い、例えば、映像表示部とリモコン２１０４の距離を計測するように構成しても良い。
【００４９】
また、上記取得された距離情報（例えば、映像表示部と視聴者の距離）は、例えば、制御ブロック２３５において、制御ブロック２３５内の図示しないメモリに予め設定された、映像表示部と視聴者の距離と比較される。
【００５０】
そして、視聴者が上記予め設定された映像表示部と視聴者の距離以上離れていないと判別される場合は、図５の説明で後述するテーブルを用い、上記取得された距離情報に基づいて、映像表示部２１０３に、元映像の一部を切り出した映像を出力する。
【００５１】
あるいは、同様に、図５の説明で後述するテーブルを用い、上記取得された距離情報に基づいた明るさとなるように、映像表示部２１０３に映像を出力する。
図４は、実施形態に係わる映像表示装置において、例えば、映像表示部と視聴者の距離に応じて切り出された映像が表示されるようすを示す図である。
上記のように、映像表示装置においては、映像表示部から所定の距離以上離れて映像を視聴することが求められている。
また、３次元（３Ｄ）表示が可能な映像表示装置においては、視聴者に対し、好ましい３Ｄ効果となるように、映像表示部から所定の距離（適正距離）以上離れて映像を視聴することが、求められている。
【００５２】
この所定の距離（適正距離）は、例えば、映像表示部の高さの３倍以上と言われている。
ここでは、例えば、４２インチの液晶ＴＶを例にとり、上記所定の距離（適正距離）の一例を説明する。
例えば、ある４２インチの液晶ＴＶの高さは０．６４９ｍである。このとき、上記所定の距離（適正距離）は、この高さ（０．６４９ｍ）の３倍、すなわち、１．９４７ｍである（０．６４９ｍ×３＝１．９４７ｍ）。
【００５３】
したがって、ここでは、この４２インチの液晶ＴＶにおける映像表示部と視聴者の所定の距離（適正距離）は、１．９４７ｍ以上である。
また、使用する液晶パネルは、例えば、１９２０ドット×１０８０ドットである。
この実施の形態においては、視聴者３３と映像表示部２１０３の距離は、例えば、映像表示部２１０３に設けられた距離計測部（カメラ）２６０によって計測される。
【００５４】
図４（ａ）は、視聴者３３が映像表示部２１０３に近づきすぎ、映像表示部２１０３と視聴者３３の距離が上記適正距離（１．９４７ｍ）よりも短くなった場合を示す図である。
【００５５】
符号１００は元映像である。
このとき、例えば、制御ブロック２３５において、上記取得された距離情報を、予め設定された上記適正距離（１．９４７ｍ）と比較し、視聴者３３が予め設定された適正距離（１．９４７ｍ）以上離れていないと判別される場合は、取得された距離情報に基づいて、映像表示部２１０３に、元映像１００の一部を切り出した映像を出力する。
【００５６】
図４（ａ）に示すように、符号３１は、このとき、元映像１００の一部が切り出され、いわゆるスケーリング処理され、映像表示部２１０３に出力される映像である。
【００５７】
また、図４（ａ）に示すように、この切り出された元映像１００の一部は、拡大スケーリング処理し、出力する。
また、上記映像の拡大出力に代え、例えば、元映像１００の一部である上記切り出し部分以外の表示されない部分を黒色等でクロッピング、すなわち、ワイプ処理のように見えなくするようにし、上記切り出し部分を表示するようにしても良い。
【００５８】
また、このとき、例えば、この実施の形態においては、このスケーリング処理された映像を２Ｄで表示出力することも可能である。
この映像の２Ｄ表示出力は、例えば、上記図３において説明した信号処理器２３４に含まれる３Ｄ処理モジュール８０を用いることで実現される。
例えば、上記のように視聴者３３が予め設定された適正距離（１．９４７ｍ）以上離れていないと判別される場合は、ビデオ出力部２３９において、３Ｄ信号は出力させず、２Ｄ信号を出力するようにする。
【００５９】
これによって、上記スケーリング処理された映像も２Ｄで出力表示される。  また、上記のように、視差を利用する３Ｄ表示において、視差の利用を中止することで（視差なし）、映像の２Ｄ出力表示をおこなうことも可能でなる。
【００６０】
また、このとき、映像表示部２１０３に、視聴者３３が映像表示部２１０３に近づきすぎている旨の警告表示を出力しても良い。
符号４０はこの警告表示である。
図４（ｃ）は、この警告表示４０の一例を説明する図である。
ここでは、例えば、「画面に近づき過ぎています。もう少し離れてください。」と表示される。
図４（ｂ）は、映像表示部２１０３と視聴者３３の距離が上記適正距離（１．９４７ｍ）以上離れている場合を示す図である。
上記のように、取得された距離情報を、予め設定された上記適正距離（１．９４７ｍ）と比較し、視聴者３３が予め設定された適正距離（１．９４７ｍ）以上離れていると判別される場合は、取得された距離情報に基づいて、例えば、映像表示部２１０３に、元映像１００の全部を出力する。
【００６１】
図５は、実施形態に係わる映像表示装置に設定される、映像表示部と視聴者の距離に応じた映像の切り出し量または映像表示部と視聴者の距離に応じた映像の明るさ設定に係るテーブルの一例を示す図である。
【００６２】
このテーブルは、上記のように、例えば、制御ブロック２３５内のメモリに記憶される。
図５（ａ）は、このテーブルの構成を示す図である。
ここでは、映像表示部と視聴者の距離（測定値）と上記映像の切り出し量（画面中央切り出し量）の関係、および、映像表示部と視聴者の距離（測定値）と明るさ設定の関係が予め記憶されている。
【００６３】
例えば、映像表示部と視聴者の距離が０．１ｍの場合（符号５１）は映像の切り出し量（画面中央切り出し量）は（１６，９）である。ここで、画面中央切り出し量（１６，９）は、切り出しを行なう画面の中央位置である、（（１９２０−１６）／２，（１０８０−９）／２）を示している。
【００６４】
また、０．２ｍの場合（符号５２）は映像の切り出し量（画面中央切り出し量）は（３２，１８）、０．３ｍの場合（符号５３）は映像の切り出し量（画面中央切り出し量）は（６４，３６）等と設定される。
【００６５】
また、ここでは、映像表示部と視聴者の距離が上記予め設定された適正距離（１．９４７ｍ）と同じ場合（符号５９）は、映像の切り出し量（画面中央切り出し量）は全画面（１９２０，１０８０）である。
【００６６】
また、映像表示部と視聴者の距離が上記適正距離（１．９４７ｍ）を超える場合（符号６）も同様に、映像の切り出し量（画面中央切り出し量）は全画面（１９２０，１０８０）である。
【００６７】
このテーブルは映像表示部と視聴者の間の距離と映像表示部に出力する映像の明るさの関係も設定されているが、これは後述する図７の説明において述べる。
図５（ｂ）は、上記画面中央切り出し量を示す図である。
図５（ｂ）に示すように、映像表示部と視聴者の距離が０．１ｍの場合は符号５１、０．２ｍの場合は符号５２、０．３ｍの場合は符号５３に示す。また、映像表示部と視聴者の距離が上記適正距離（１．９４７ｍ）と同じ場合、またはこれを超える場合は符号５９に示す。
【００６８】
図６は、実施形態に係わる映像表示装置の動作の一例を示すフローチャートである。
符号Ｓ１００は、開始ステップである。続いて、ステップＳ１０１に進む。
ステップＳ１０１は、映像表示部（表示画面）と視聴者の距離を測定するステップである。上記のように、映像表示部（表示画面）と視聴者の距離の計測には、例えば、カメラ、距離計、リモコン等を用いることが可能である。続いて、ステップＳ１０２に進む。
【００６９】
ステップＳ１０２は、視聴者と表示画面の距離（測定値）を予め設定された適正距離と比較するステップである。続いて、ステップＳ１０３に進む。
ステップＳ１０３は、視聴者は予め設定された距離以上離れているかを判別するステップである。視聴者は予め設定された距離以上離れていると判別される場合は、ステップＳ１０４に進む（Ｙｅｓ）。視聴者は予め設定された距離以上離れていないと判別される場合は、ステップＳ１０５に進む（Ｎｏ）。
【００７０】
ステップＳ１０４は、視聴者と表示画面（映像表示部）の距離の値（計測値）を用い、この距離で視聴した場合に好ましい３Ｄ効果になる３Ｄ映像を出力するステップである。続いて、ステップＳ１０１に進み、上記処理を繰り返す。
【００７１】
ステップＳ１０５は、予め設定されたテーブルを参照し、画面と視聴者の距離に応じた切り出し量を取得するステップである。続いて、ステップＳ１０６に進む。
ステップＳ１０６は、上記のように、取得された切り出し量に応じ、映像の一部が表示されるようにスケーリング処理するステップである。続いて、ステップＳ１０７に進む。
【００７２】
ステップＳ１０７は、上記のように、スケーリング処理された映像を２Ｄで表示出力、および視聴者が画面に近づき過ぎている旨の警告を表示出力するステップである。上記のように、この実施形態においては、例えば、映像表示部２１０３と視聴者３３の距離が上記予め設定された適正距離（１．９４７ｍ）よりも近い場合に、映像が３Ｄ映像で表示されている場合は、これを２Ｄ映像に切替えて表示する。また、ここでは、視聴者が画面に近づき過ぎている旨の警告も表示出力する。続いて、ステップＳ１０１に進み、上記処理を繰り返す。
【００７３】
これにより、視聴者が画面に近づき過ぎている場合に、視聴者に対して、視聴者が画面に近づき過ぎていることを知らせることが可能になる
この実施の形態においては、このように構成することにより、視聴者に対し、映像表示部から所定の距離以上離れ、映像を視聴するように促すことが可能な映像表示装置を提供することが可能になる。
【００７４】
図７は、実施形態に係わる映像表示装置において、例えば、映像表示部と視聴者の距離に応じた明るさで、映像が表示されるようすを示す図である。
この実施の形態においては、映像表示部と視聴者の距離に応じた明るさで、映像が表示される。
上記図５で説明した実施の形態と同様に、この実施の形態も映像表示部と視聴者の距離に応じた制御が行なわれる。ここでは、例えば、映像表示装置に、映像表示部と視聴者の距離に応じた明るさで映像が表示される。
【００７５】
上記のように、図５（ａ）に示すテーブルには、映像表示部と視聴者の間の距離（測定値）と映像表示部に出力する映像の明るさの関係も予め設定され、例えば、制御ブロック２３５に記憶されている。
【００７６】
図５（ａ）は、このテーブルの構成を示す図である。
図５（ａ）に示すように、例えば、映像表示部と視聴者の距離が０．１ｍの場合（符号５１）は映像表示部に出力する映像の明るさは０、０．２ｍの場合（符号５２）は映像表示部に出力する映像の明るさは１、０．３ｍの場合（符号５３）は映像表示部に出力する映像の明るさは２等と設定される。
【００７７】
また、映像表示部と視聴者の距離が上記予め設定された適正距離（１．９４７ｍ）と同じ場合（符号５９）は、映像表示部に出力する映像の明るさは適正（１０）である。
【００７８】
また、映像表示部と視聴者の距離が上記適正距離（１．９４７ｍ）を超える場合（符号６）も同様に、映像表示部に出力する映像の明るさは適正（１０）である。
ここで、この明るさの程度は、例えば、映像表示装置の製造時に設定した値であり、一例として、後述する図８に示すような関係に設定される。
図７（ａ）は、映像表示部と視聴者の距離が上記適正距離（１．９４７ｍ）より近い（視聴者３３が映像表示部２１０３に近づきすぎている）場合の映像表示装置の動作を説明する図である。
【００７９】
図７（ａ）に示すように、例えば、映像表示部２１０３と視聴者３３の距離が０．１ｍの場合（符号７１）は、映像表示部２１０３に出力する映像の明るさは０に設定されており、設定０の映像が映像表示部２１０３に出力される。ここでは、設定０の映像は最も暗い映像である。
【００８０】
また、映像表示部２１０３と視聴者３３の距離が０．２ｍの場合（符号７２）は、設定１の映像が映像表示部２１０３に出力される。ここでは、設定１の映像は２番目に暗い映像である。
【００８１】
また、映像表示部２１０３と視聴者３３の距離が０．３ｍの場合（符号７３）は、設定２の映像が映像表示部２１０３に出力される。ここでは、設定２の映像は３番目に暗い映像である。
【００８２】
図７（ｂ）は、映像表示部と視聴者の距離が上記適正距離（１．９４７ｍ）以上離れている場合の映像表示装置の動作を説明する図である。
映像表示部と視聴者の距離が上記予め設定された適正距離（１．９４７ｍ）と同じ場合（符号７９）は、設定１０の映像が映像表示部２１０３に出力される。ここでは、設定１０の映像は最も明るい映像（適正）である。
【００８３】
また、同様に、映像表示部と視聴者の距離が上記適正距離（１．９４７ｍ）を超える場合（符号６）も設定１０の映像が映像表示部２１０３に出力される。
図８は、実施形態に係わる映像表示装置のテーブルに設定される、映像表示部と視聴者の距離に応じた映像の明るさの関係の一例を示す図である。
ここでは、図８に示すように、映像表示装置のテーブルに設定される、映像表示部２１０３と視聴者３３の距離に応じた映像の明るさの関係は、上記適正距離（１．９４７ｍ）に近づくまでは、視聴者３３が映像表示部２１０３から離れていくにつれて、映像表示部２１０３に出力される映像は、少しずつ明るくなるようにしている。また、映像表示部２１０３と視聴者３３の距離が上記適正距離（１．９４７ｍ）を超えると、映像表示部２１０３に出力される映像は、急に明るくなるようにしている。
【００８４】
これにより、視聴者３３は映像表示部２１０３から上記適正距離（１．９４７ｍ）以上離れた場合に、これを視覚的に感じることができる。
また、この実施の形態においても、例えば、視聴者が画面に近づき過ぎている場合に、上記と同様に、映像を２Ｄで表示出力することも可能である。
この映像の２Ｄ表示出力は、上記と同様に、例えば、上記図３において説明した信号処理器２３４に含まれる３Ｄ処理モジュール８０を用いることで実現される。
例えば、上記のように視聴者３３が予め設定された適正距離（１．９４７ｍ）以上離れていないと判別される場合は、ビデオ出力部２３９において、３Ｄ信号は出力させず、２Ｄ信号を出力するようにする。
【００８５】
これによって、視聴者が画面に近づき過ぎている場合は、映像を２Ｄで出力表示される。  図９は、他の実施形態に係わる映像表示装置の動作の一例を示すフローチャートである。
【００８６】
ここでは、上記のように、映像表示部２１０３と視聴者３３の距離に応じた明るさで、映像表示部２１０３に映像が表示される。
符号Ｓ２００は、開始ステップである。続いて、ステップＳ２０１に進む。
ステップＳ２０１は、映像表示部（表示画面）と視聴者の距離を測定するステップである。上記と同様に、映像表示部（表示画面）と視聴者の距離の計測には、例えば、カメラ、距離計、リモコン等を用いることが可能である。続いて、ステップＳ２０２に進む。
【００８７】
ステップＳ２０２は、視聴者と表示画面の距離（測定値）を予め設定された適正距離と比較するステップである。続いて、ステップＳ２０３に進む。
ステップＳ２０３は、視聴者は予め設定された距離以上離れているかを判別するステップである。視聴者は予め設定された距離以上離れていると判別される場合は、ステップＳ２０４に進む（Ｙｅｓ）。視聴者は予め設定された距離以上離れていないと判別される場合は、ステップＳ２０５に進む（Ｎｏ）。
【００８８】
ステップＳ２０４は、視聴者と表示画面（映像表示部）の距離の値（計測値）を用い、この距離で視聴した場合に好ましい３Ｄ効果になる３Ｄ映像を出力するステップである。続いて、ステップＳ２０１に進み、上記処理を繰り返す。
【００８９】
ステップＳ２０５は、上記予め設定されたテーブル（図５（ａ））を参照し、表示画面２１０３と視聴者３３の距離に応じた明るさの程度を取得するステップである。続いて、ステップＳ２０６に進む。
【００９０】
ステップＳ２０６は、上記表示画面２１０３と視聴者３３の距離に応じた明るさの程度に応じ、表示画面２１０３に映像が出力されるステップである。すなわち、例えば、映像表示部２１０３と視聴者３３の距離が上記適正距離（１．９４７ｍ）に近づくまでは、視聴者３３が映像表示部２１０３から離れていくにつれて、映像表示部２１０３に出力される映像は、少しずつ明るくなる。また、映像表示部２１０３と視聴者３３の距離が上記適正距離（１．９４７ｍ）を超えると、映像表示部２１０３に出力される映像は、急に明るくなるように制御される。続いて、ステップＳ２０７に進む。
【００９１】
ステップＳ２０７は、上記のように制御された映像を２Ｄで表示出力するステップである。
続いて、ステップＳ２０１に進み、上記処理を繰り返す。
これにより、この実施の形態においては、映像表示部と視聴者の距離に応じた明るさで、および２Ｄで映像が表示される。
これにより、視聴者が画面に近づき過ぎている場合に、この実施の形態においては、視聴者３３と映像表示部２１０３の距離に応じて画面の明るさを変化させること、および２Ｄ表示に切替えることにより、視聴者に対して、視聴者が画面に近づき過ぎていることを知らせることが可能になる
【００９２】
このように構成することにより、視聴者に対し、映像表示部から所定の距離以上離れ、映像を視聴するように促すことが可能な映像表示装置を提供することが可能になる。
【００９３】
また、上記のように構成することにより、例えば、まだ文字の読めない幼児や子供でも、映像表示部２１０３に表示される映像や画面の明るさで、映像表示部２１０３に近づき過ぎると、映像表示部２１０３の映像が変化することから、直感的に適正な視聴距離を把握することができる。
【００９４】
また、他の実施形態として、例えば、元映像のスケーリングに代え、例えば、映像表示部２１０３に表示される映像の解像度を、段階的あるいは連続的に変えたり、あるいは映像表示部２１０３に表示される映像にモザイクをかけ、これを段階的なサイズでかけるようにしたりしても良い。
【００９５】
また、３Ｄ映像表示時には、視聴者に、３Ｄ表示効果を適正に得られる位置（あるいは距離）に立ってもらうように映像サイズや明るさを変化させることも有効である。
【００９６】
この場合、適正な位置（距離）より離れた場合は、また映像サイズを小さくしたり、明るさを下げたりして視聴者を適正な視聴距離へ導くようにしても良い。
なお、上記説明は３Ｄ映像を表示可能な映像表示装置を例に取ったが、上記実施形態はこれに限られることはなく、２Ｄ映像を表示可能な映像表示装置にも適用可能である。また、映像表示装置はテレビに限られることはなく、パーソナルコンピュータ（ＰＣ）や、スマートホンや携帯電話等の電子機器にも適用可能である。
【００９７】
上記のように構成することにより、視聴者に対し、映像表示部から所定の距離以上離れ、映像を視聴するように促すことが可能な映像表示装置を提供することが可能になる。
【００９８】
なお、上記実施形態は、記述そのものに限定されるものではなく、実施段階では、その趣旨を逸脱しない範囲で、構成要素を種々変形して具体化することが可能である。
【００９９】
また、上記実施形態に開示されている複数の構成要素の適宜な組み合せにより種々の発明を形成できる。
例えば、実施形態に示される全構成要素から幾つかの構成要素を削除しても良い。更に、異なる実施形態に亘る構成要素を適宜組み合せても良い。
【符号の説明】
【０１００】
３１…元映像の一部を表示する映像、３２…元映像の全部を表示する映像、３３…視聴者、４０…警告表示、１００…元の映像、２６０…距離計測部（カメラ）、２１０３…映像表示部。
【図１】
2012222622.tif 000003
【図２】
2012222622.tif 000004
【図３】
2012222622.tif 000005
【図４】
2012222622.tif 000006
【図５】
2012222622.tif 000007
【図６】
2012222622.tif 000008
【図７】
2012222622.tif 000009
【図８】
2012222622.tif 000010
【図９】
2012222622.tif 000011